(57)【要約】【課題】主要被写体部分と背景部分の各々に異なる基準で設定された画像処理を施し、画像の興趣性の向上を図る。【解決手段】撮像装置１００であって、背景内に主要被写体を含む画像を取得する画像取得部３ａと、取得された画像の主要被写体部分及び背景部分に対して所定の絵画調処理を施す絵画調処理部３ｄと、この絵画調処理部による主要被写体部分及び背景部分に対する絵画調処理の内容を互いに異なる基準で設定する処理内容設定部３ｃと、を備え、設定された絵画調処理の内容で当該画像の主要被写体部分及び背景部分に対して所定の絵画調処理を施す。【選択図】図１
2011166404.tif 000002
【特許請求の範囲】
【請求項１】
背景内に主要被写体を含む画像を取得する取得手段と、
この取得手段により取得された画像の主要被写体部分及び背景部分に対して所定の画像処理を施す処理手段と、
この処理手段による前記主要被写体部分及び前記背景部分に対する画像処理の内容を互いに異なる基準で設定する設定手段と、
を備えることを特徴とする画像処理装置。
【請求項２】
前記設定手段は、
前記取得手段により取得された画像の前記主要被写体の特徴情報を基準として、当該主要被写体部分に対する画像処理の内容を決定する第１決定手段を有し、
前記処理手段は、
前記第１決定手段により決定された前記主要被写体部分に対する画像処理の内容に従って、前記画像の前記主要被写体部分に画像処理を施すことを特徴とする請求項１に記載の画像処理装置。
【請求項３】
前記主要被写体の特徴情報として、人の年齢、性別及び人種のうち、少なくとも何れか一を特定する特徴情報特定手段を更に備え、
前記第１決定手段は、
前記特徴情報特定手段により特定された人の年齢、性別及び人種のうち、少なくとも何れか一を基準として、前記主要被写体部分に対する画像処理の内容を決定することを特徴とする請求項２に記載の画像処理装置。
【請求項４】
前記設定手段は、
前記取得手段により取得された画像の再生環境及び撮像環境の少なくとも一方を基準として、当該画像の背景部分に対する画像処理の内容を決定する第２決定手段を有し、
前記処理手段は、
前記第２決定手段により決定された前記背景部分に対する画像処理の内容に従って、前記画像の前記背景部分に画像処理を施すことを特徴とする請求項１〜３の何れか一項に記載の画像処理装置。
【請求項５】
前記再生環境として、画像の再生位置、当該再生位置の天候及び再生画像の鑑賞者のうち、少なくとも何れか一を特定する再生環境特定手段を更に備え、
前記第２決定手段は、
前記再生環境特定手段により特定された画像の再生位置、当該再生位置の天候及び再生画像の鑑賞者のうち、少なくとも何れか一を基準として、当該画像の背景部分に対する画像処理の内容を決定することを特徴とする請求項４に記載の画像処理装置。
【請求項６】
前記撮像環境として、画像の撮像位置及び当該撮像位置の天候のうち、少なくとも一方を特定する撮像環境特定手段を更に備え、
前記第２決定手段は、
前記撮像環境特定手段により特定された画像の撮像位置及び当該撮像位置の天候のうち、少なくとも一方を基準として、当該画像の背景部分に対する画像処理の内容を決定することを特徴とする請求項４に記載の画像処理装置。
【請求項７】
背景内に主要被写体を含む画像を撮像する撮像手段を更に備え、
前記取得手段は、前記撮像手段によりライブビュー画像或いは記録画像として撮像された前記画像を取得することを特徴とする請求項１〜６の何れか一項に記載の画像処理装置。
【請求項８】
前記画像処理は、画像を絵画調の画像に加工する複数種類の絵画調処理の中の何れか一の処理であることを特徴とする請求項１〜７の何れか一項に記載の画像処理装置。
【請求項９】
前記画像の前記主要被写体部分及び前記背景部分のうち、少なくとも一方に対する画像処理の内容をユーザ操作に基づいて指定する指定手段を更に備え、
前記設定手段は、更に、
前記指定手段による指定結果に応じて前記主要被写体部分及び前記背景部分の少なくとも一方に対する画像処理の内容を設定することを特徴とする請求項１〜８の何れか一項に記載の画像処理装置。
【請求項１０】
画像処理装置を用いた画像処理方法であって、
背景内に主要被写体を含む画像を取得する処理と、
取得された画像の主要被写体部分及び背景部分に対する画像処理の内容を互いに異なる基準で設定する処理と、
設定された画像処理の内容で当該画像の前記主要被写体部分及び前記背景部分に対して所定の画像処理を施す処理と、
を実行することを特徴とする画像処理方法。
【請求項１１】
画像処理装置を用いた画像表示方法であって、
背景内に主要被写体を含む画像を取得する処理と、
取得された画像の主要被写体部分及び背景部分に対する画像処理の内容を互いに異なる基準で設定する処理と、
設定された画像処理の内容で当該画像の前記主要被写体部分及び前記背景部分に対して所定の画像処理を施す処理と、
前記画像の前記主要被写体部分及び前記背景部分の各々に画像処理が施された処理後の画像を表示手段に表示させる処理と、
を実行することを特徴とする画像表示方法。
【請求項１２】
画像処理装置のコンピュータを、
背景内に主要被写体を含む画像を取得する取得手段、
この取得手段により取得された画像の主要被写体部分及び背景部分に対して所定の画像処理を施す処理手段、
この処理手段による前記主要被写体部分及び前記背景部分に対する画像処理の内容を互いに異なる基準で設定する設定手段、
として機能させることを特徴とするプログラム。
【発明の詳細な説明】
【技術分野】
【０００１】
本発明は、画像に所定の画像処理を施す画像処理装置、画像処理方法、画像表示方法及びプログラムに関する。
【背景技術】
【０００２】
従来、オブジェクト（主要被写体）の中心に一番強く画像処理が施され且つ背景部分に施す画像処理の強度が小さくなるようにしたり、または、オブジェクトの中心では画像処理が殆ど施されずに且つ背景部分に近くなるにつれて徐々に画像処理の強度が大きくなるようにした画像処理技術が知られている（例えば、特許文献１参照）。
【先行技術文献】
【特許文献】
【０００３】
【特許文献１】特開２００４−２１３７４号公報
【発明の概要】
【発明が解決しようとする課題】
【０００４】
しかしながら、上記特許文献１にあっては、オブジェクトと背景部分とに同じ種類の画像処理をそれぞれ施しているだけであり、画像の興趣性を向上させることが困難であった。
【０００５】
そこで、本願発明の課題は、主要被写体部分と背景部分の各々に異なる基準で設定された画像処理を施すことができ、画像の興趣性の向上を図ることができる画像処理装置、画像処理方法、画像表示方法及びプログラムを提供することである。
【課題を解決するための手段】
【０００６】
上記課題を解決するため、本発明の画像処理装置は、
背景内に主要被写体を含む画像を取得する取得手段と、この取得手段により取得された画像の主要被写体部分及び背景部分に対して所定の画像処理を施す処理手段と、この処理手段による前記主要被写体部分及び前記背景部分に対する画像処理の内容を互いに異なる基準で設定する設定手段と、を備えることを特徴としている。
【０００７】
また、本発明の画像処理方法は、
画像処理装置を用いた画像処理方法であって、背景内に主要被写体を含む画像を取得する処理と、取得された画像の主要被写体部分及び背景部分に対する画像処理の内容を互いに異なる基準で設定する処理と、設定された画像処理の内容で当該画像の前記主要被写体部分及び前記背景部分に対して所定の画像処理を施す処理と、を実行することを特徴としている。
【０００８】
また、本発明の画像表示方法は、
画像処理装置を用いた画像表示方法であって、背景内に主要被写体を含む画像を取得する処理と、取得された画像の主要被写体部分及び背景部分に対する画像処理の内容を互いに異なる基準で設定する処理と、設定された画像処理の内容で当該画像の前記主要被写体部分及び前記背景部分に対して所定の画像処理を施す処理と、前記画像の前記主要被写体部分及び前記背景部分の各々に画像処理が施された処理後の画像を表示手段に表示させる処理と、を実行することを特徴としている。
【０００９】
また、本発明のプログラムは、
画像処理装置のコンピュータを、背景内に主要被写体を含む画像を取得する取得手段、この取得手段により取得された画像の主要被写体部分及び背景部分に対して所定の画像処理を施す処理手段、この処理手段による前記主要被写体部分及び前記背景部分に対する画像処理の内容を互いに異なる基準で設定する設定手段、として機能させることを特徴としている。
【発明の効果】
【００１０】
本発明によれば、処理対象となる画像の主要被写体部分と背景部分の各々に異なる基準で設定された画像処理を施すことができ、画像処理が施された画像の興趣性の向上を図ることができる。
【図面の簡単な説明】
【００１１】
【図１】本発明を適用した一実施形態の画像表示装置の概略構成を示すブロック図である。
【図２】図１の画像表示装置による画像絵画調処理に係る処理内容設定用テーブルの一例を模式的に示す図である。
【図３】図２の画像絵画調処理に係る動作の一例を示すフローチャートである。
【図４】図２の画像絵画調処理に係る画像の一例を模式的に示す図である。
【図５】変形例２の画像表示装置による画像絵画調処理に係る動作の一例を示すフローチャートである。
【図６】変形例３の画像表示装置による画像絵画調処理に係る画像の一例を模式的に示す図である。
【発明を実施するための形態】
【００１２】
以下に、本発明について、図面を用いて具体的な態様を説明する。ただし、発明の範囲は、図示例に限定されない。
図１は、本発明を適用した一実施形態の画像表示装置１００の概略構成を示すブロック図である。
【００１３】
本実施形態の画像表示装置１００は、背景内に主要被写体を含む画像を取得し、当該画像の主要被写体部分Ｓ及び背景部分Ｂに対する絵画調処理の内容を互いに異なる基準で設定した後、設定された絵画調処理の内容で当該画像の主要被写体部分Ｓ及び背景部分Ｂに対して所定の絵画調処理を施す。
具体的には、画像表示装置１００は、例えば、卓上に設置されるデジタルフォトフレーム等であり、図１に示すように、表示部１と、撮像部２と、画像処理部３と、環境情報特定部４と、メモリ５と、画像記録部６と、操作入力部７と、中央制御部８とを備えている。
【００１４】
表示部１は、表示手段を構成し、表示パネル１ａと、表示制御部１ｂとを具備している。
表示パネル１ａとしては、例えば、液晶表示パネルや有機ＥＬ表示パネルなどが挙げられるが、これらに限られるものではない。
表示制御部１ｂは、画像記録部６に記憶されている画像データを読み出して、この画像データを表示パネル１ａの表示画面に表示させる。
【００１５】
撮像部２は、撮像手段を構成し、レンズ部２ａと、電子撮像部２ｂと、画像データ生成部２ｃとを具備している。
レンズ部２ａは、例えば、表示部１に表示される画像の鑑賞者を撮像可能となるように、表示部１の表示画面と同じ方向に向けて露出されているのが好ましい。
電子撮像部２ｂは、例えば、図示は省略するが、ＣＣＤ（Charge Coupled Device）やＣＭＯＳ（Complementary Metal-oxide Semiconductor）等のイメージセンサ等から構成されている。そして、電子撮像部２ｂは、レンズ部２ａの各種レンズや絞り（図示略）を通過した光学像を二次元の画像信号（ＲＧＢ画像データ）に変換して、画像データ生成部２ｃに出力する。
画像データ生成部２ｃは、電子撮像部２ｂから出力された被写体の光学像に応じたＲＧＢ色成分よりなる画像信号が入力され、必要に応じて、ＹＵＶ色空間に対応する画像データ（ＹＵＶ画像データ）やＨＳＶ色空間に対応する画像データ（ＨＳＶ画像データ）に変換して中央制御部８に出力する。
【００１６】
画像処理部３は、撮像部２から出力された画像データの記録時に、中央制御部８から出力された画像データを受け取って、当該画像データに対して各種の画像処理や圧縮等を施してファイル化する。そして、画像処理部３は、ファイル化された画像データを画像記録部６に転送する。
【００１７】
また、画像処理部３は、画像取得部３ａと、特徴情報特定部３ｂと、処理内容設定部３ｃと、絵画調処理部３ｄとを具備している。
【００１８】
画像取得部３ａは、背景内に主要被写体（例えば、人や物体や動物や植物など）を含む画像を処理対象画像Ｐ１として取得する。
具体的には、画像取得部３ａは、例えば、画像記録部６に記録されている少なくとも一の画像のＹＵＶ画像データの中から、ユーザによる操作入力部７の所定操作に基づいて指定された何れか一の処理対象画像Ｐ１（図４（ａ）参照）のＹＵＶ画像データを取得する。
ここで、画像取得部３ａは、背景内に主要被写体を含む画像を取得する取得手段を構成している。
【００１９】
特徴情報特定部３ｂは、画像取得部３ａにより取得された画像（処理対象画像Ｐ１）の主要被写体の特徴情報を特定する。
即ち、特徴情報特定部３ｂは、例えば、顔検出処理、エッジ検出処理、特徴抽出処理等の各種画像処理によって、画像中の人や物体などの主要被写体を特定した後、当該主要被写体の特徴情報を特定する。具体的には、特徴情報特定部３ｂは、例えば、画像取得部３ａにより取得された画像から所定の顔検出方法を用いて顔を検出する。そして、特徴情報特定部３ｂは、検出された顔画像の色彩や明度の平均や分散、強度分布、周囲画像との色彩差や明度差などの特徴量を抽出した後、当該特徴量から公知の推定理論（例えば、特開２００７−２８０２９１号公報参照）を適用して主要被写体である人の年齢、性別、人種などの特徴情報を特定する。
ここで、特徴情報特定部３ｂは、人の年齢を特定した場合には、その年齢に応じて、例えば、幼児、少年、青年、成年、老人などの該当年齢の属する区分に分けても良い。また、特徴情報特定部３ｂは、例えば、コーカソイド（白人）、モンゴロイド（黄色人）、ニグロイド（黒人）等の人種を特定するだけでなく、これらの中で大陸や地域などに応じて民族や出生地などの属する区分に分けても良いし、特定された国や地域によって西洋や東洋といった区分に分けても良い。
なお、顔検出処理やエッジ検出処理や特徴抽出処理は、公知の技術であるので、ここでは詳細な説明を省略する。また、人の年齢、性別、人種などの推定理論としては、例えば、特開２００７−２８０２９１号公報に開示された技術を適用したが、これに限られるものではない。
ここで、特徴情報特定部３ｂは、主要被写体の特徴情報として、人の年齢、性別及び人種のうち、少なくとも何れか一を特定する特徴情報特定手段を構成している。
【００２０】
なお、主要被写体が人以外のものである場合には、特徴情報特定部３ｂは、主要被写体と何らかの関連性のある特徴情報を特定するようにしても良い。
即ち、主要被写体が、例えば、建物などの物体の場合には、建築時期（製造時期）や建築様式などを特徴情報として、また、犬や猫などの動物の場合には、種類やサイズ（大型、小型など）などを特徴情報として、また、ヒマワリやバラなどの植物の場合には、開花時期や自生地域や生け花の流派などを特徴情報としても良い。さらに、年齢や人種などと同様に、特徴情報の該当する区分に分けて特定しても良い。
【００２１】
処理内容設定部３ｃは、絵画調処理部３ｄによる処理対象画像Ｐ１に対する絵画調処理（画像処理）の内容を設定する。
即ち、処理内容設定部３ｃは、処理対象画像Ｐ１の主要被写体部分Ｓに対する絵画調処理の内容を決定する第１決定部（第１決定手段）ｃ１と、処理対象画像Ｐ１の背景部分Ｂに対する絵画調処理の内容を決定する第２決定部（第２決定手段）ｃ２とを具備している。そして、第１決定部ｃ１及び第２決定部ｃ２は、処理内容設定用テーブルＴ（図２（ａ）及び図２（ｂ）参照）を用いて各々の絵画調処理の内容（種類）を互いに異なる基準で設定する。
ここで、絵画調処理には、例えば、色鉛筆で書いたような視覚的効果を有する画像に加工する「色鉛筆風」や、油彩絵の具で書いたような視覚的効果を有する画像に加工する「油彩画風」や、水彩絵の具で書いたような視覚的効果を有する画像に加工する「水彩画風」や、日本画の特徴を出したような視覚的効果を有する画像に加工する「日本画風」や、西洋画の特徴を出したような視覚的効果を有する画像に加工する「西洋画風」などがあるが、これらに限られるものではない（図２（ａ）及び図２（ｂ）参照）。
また、「○○画風」とは、公知の画像処理関連のソフトウェアによって実現可能な絵画調処理が施された視覚的効果のことを言う。
【００２２】
第１決定部ｃ１は、画像取得部３ａにより取得された画像の主要被写体の特徴情報を基準として、当該主要被写体部分Ｓに対する絵画調処理の内容を決定する。
即ち、第１決定部ｃ１は、特徴情報特定部３ｂにより特定された主要被写体としての人の年齢、性別及び人種のうち、少なくとも何れか一を基準として、処理対象画像Ｐ１の主要被写体部分Ｓに対する絵画調処理の内容を決定する。具体的には、第１決定部ｃ１は、特徴情報特定部３ｂにより特定された人の年齢、性別及び人種などに基づいて、第１処理内容設定用テーブルＴ１（図２（ａ）参照）を参照して、主要被写体の種別（例えば、「幼児」など）に応じて主要被写体部分Ｓに対する絵画調処理の内容（例えば、「色鉛筆風」など）を決定する。
なお、特徴情報特定部３ｂにより主要被写体の特徴情報が複数特定された場合（例えば、人の年齢、性別及び人種など）にあっては、第１決定部ｃ１は、これらの特徴情報の中でデフォルト設定済みの所定順序に従って優先的に利用しても良いし、ユーザにより指定された順序で利用するようにしても良い。また、第１決定部ｃ１は、第２決定部ｃ２により決定される絵画調処理の内容を考慮して、当該絵画調処理の内容と異ならせるように設定しても良い。
【００２３】
ここで、第１処理内容設定用テーブルＴ１は、図２（ａ）に示すように、主要被写体の種別と絵画調処理の内容とを対応付けて記憶するものである。また、主要被写体の種別と絵画調処理の内容との対応関係は、主観及び客観を問わず、主要被写体から連想され得る関係性や現実的な関係性などを考慮して規定されている。
具体的には、例えば、主要被写体としての「幼児」と、幼児が好んで色絵筆で絵を描くことなどを連想させる絵画調処理としての「色鉛筆風」とが対応付けられ、主要被写体としての「男性」と、男性の力強さや荒々しさなどを連想させる絵画調処理としての「油彩画風」とが対応付けられ、主要被写体としての「女性」と、女性の透明感や清涼感や清潔感などを連想させる絵画調処理としての「水彩画風」とが対応付けられ、主要被写体としての「日本人」と、日本人や日本国などを連想させる絵画調処理としての「日本画風」とが対応付けられ、主要被写体としての「西洋人」と、西洋人や西洋の地域などを連想させる絵画調処理としての「西洋画風」とが対応付けられている。
なお、第１処理内容設定用テーブルＴ１における主要被写体の種別と絵画調処理の内容との対応関係は、一例であってこれらに限られるものではなく、適宜任意に変更可能である。
【００２４】
第２決定部ｃ２は、画像取得部３ａにより取得された画像の再生環境を基準として、当該画像の背景部分Ｂに対する絵画調処理の内容を決定する。
即ち、第２決定部ｃ２は、環境情報特定部４により特定された画像の再生位置、当該再生位置の天候及び再生画像の鑑賞者のうち、少なくとも何れか一を基準として、処理対象画像Ｐ１の背景部分Ｂ（つまり、主要被写体以外の部分）に対する絵画調処理の内容を決定する。具体的には、第２決定部ｃ２は、環境情報特定部４により特定された画像の再生位置、当該再生位置の天候及び再生画像の鑑賞者などに基づいて、第２処理内容設定用テーブルＴ２（図２（ｂ）参照）を参照して、再生環境の状態（例えば、天候が「雨」など）に応じて背景部分Ｂに対する絵画調処理の内容（例えば、「水彩画風」など）を決定する。
なお、環境情報特定部４により画像の再生環境に係る情報が複数特定された場合（例えば、画像の再生位置、当該再生位置の天候及び再生画像の鑑賞者など）にあっては、第２決定部ｃ２は、これらの再生環境に係る情報の中でデフォルト設定済みの所定順序に従って優先的に利用しても良いし、ユーザにより指定された順序で利用するようにしても良い。また、第２決定部ｃ２は、第１決定部ｃ１により決定される絵画調処理の内容を考慮して、当該絵画調処理の内容と異ならせるように設定しても良い。
また、画像の再生位置とは、画像を再生して表示部１に表示する際の当該撮像装置の位置（場所）のことである。
【００２５】
ここで、第２処理内容設定用テーブルＴ２は、図２（ｂ）に示すように、再生環境の状態と絵画調処理の内容とを対応付けて記憶するものである。また、再生環境の状態と絵画調処理の内容との対応関係は、主観及び客観を問わず、再生環境から連想され得る関係性や現実的な関係性などを考慮して規定されている。
具体的には、例えば、再生環境としての「天候；雨」と、雨が水分などを連想させる絵画調処理としての「水彩画風」とが対応付けられ、再生環境としての「鑑賞者：幼児」と、幼児が好んで色絵筆で絵を描くことなどを連想させる絵画調処理としての「色鉛筆風」とが対応付けられ、再生環境としての「鑑賞者：日本人」と、日本人や日本国などを連想させる絵画調処理としての「日本画風」とが対応付けられ、再生環境としての「鑑賞者：西洋人」と、西洋人や西洋の地域などを連想させる絵画調処理としての「西洋画風」とが対応付けられている。
なお、第２処理内容設定用テーブルＴ２における再生環境の状態と絵画調処理の内容との対応関係は、一例であってこれらに限られるものではなく、適宜任意に変更可能である。
【００２６】
このように、処理内容設定部３ｃは、画像取得部３ａにより取得された画像の主要被写体部分Ｓ及び背景部分Ｂに対する絵画調処理（画像処理）の内容を互いに異なる基準で設定する設定手段を構成している。
【００２７】
絵画調処理部３ｄは、処理対象画像Ｐ１を絵画調の画像Ｐ２に加工する絵画調処理を施す。
即ち、絵画調処理部３ｄは、処理内容設定部３ｃにより設定された絵画調処理の内容に従って、処理対象画像Ｐ１の主要被写体部分Ｓ及び背景部分Ｂに対して絵画調処理を施す。具体的には、絵画調処理部３ｄは、第１決定部ｃ１により決定された処理対象画像Ｐ１の主要被写体部分Ｓに対する絵画調処理の内容に従って当該主要被写体部分Ｓに絵画調処理を施すとともに、第２決定部ｃ２により決定された処理対象画像Ｐ１の背景部分Ｂに対する絵画調処理の内容に従って当該背景部分Ｂに絵画調処理を施す。
ここで、処理対象画像Ｐ１を「色鉛筆風」、「油彩画風」、「水彩画風」、「日本画風」、「西洋画風」などの各種絵画調画像Ｐ２に加工する技術は、例えば、既存の画像処理関連のソフトウェア（例えば、Adobe Systems社のAdobe Photoshop（登録商標）などが挙げられるが、これに限られるものではない。）を用いた処理と略同様の処理によって実現され、ＨＳＶ色空間における色相、彩度、明度などを変更したり各種のフィルタを用いることで行われるが、公知の技術であるので、詳細な説明を省略する。
また、画像処理としては、処理対象画像Ｐ１を絵画調の画像Ｐ２に加工する絵画調処理に限られるものではなく、例えば、輪郭強調処理、階調補正処理など適宜任意に変更することができる。
このように、絵画調処理部３ｄは、画像取得部３ａにより取得された画像の主要被写体部分Ｓ及び背景部分Ｂに対して所定の画像処理を施す処理手段を構成している。
【００２８】
環境情報特定部４は、画像取得部３ａにより取得された画像の再生環境に係る情報を特定する。
即ち、環境情報特定部４は、再生環境に係る情報として、例えば、画像の再生位置や再生位置の天候などの当該画像表示装置１００の外部環境に係る情報や画像の鑑賞者に係る情報などを特定する。具体的には、環境情報特定部４は、例えば、位置検出手段（図示略）により検出されたＧＰＳ（Global Positioning System）情報に基づいて、当該画像表示装置１００の位置（画像の再生位置）を特定する。また、環境情報特定部４は、例えば、温度検出手段、湿度検出手段、気圧検出手段（何れも図示略）等により検出された温度、湿度、気圧などの情報に基づいて、当該画像表示装置１００の位置の天候情報を特定する。なお、上記の位置検出手段、温度検出手段、湿度検出手段、気圧検出手段は、例えば、当該装置本体内に搭載されても良いし、所定の通信ケーブルにより外部接続されたものであっても良い。
また、環境情報特定部４は、例えば、撮像部２により撮像された鑑賞者の画像データに基づいて、顔検出処理を行って画像中の鑑賞者の顔を検出した後、特徴情報特定部３ｂによる主要被写体の特徴情報の特定処理と略同様の処理を行って、鑑賞者の年齢、性別、人種などに関する鑑賞者に係る情報を特定する。なお、環境情報特定部４による鑑賞者に係る情報の特定処理は、特徴情報特定部３ｂによる主要被写体の特徴情報の特定処理と略同様であり、その詳細な説明は省略する。
ここで、環境情報特定部４は、画像の再生環境として、画像の再生位置、当該再生位置の天候及び再生画像の鑑賞者のうち、少なくとも何れか一を特定する再生環境特定手段を構成している。
【００２９】
メモリ５は、例えば、ＤＲＡＭ（Dynamic Random Access Memory）等により構成され、画像処理部３や環境情報特定部４や中央制御部８等によって処理されるデータ等を一時的に記憶する。
【００３０】
画像記録部６は、例えば、不揮発性メモリ（フラッシュメモリ）等により構成されている。また、画像記録部６は、表示部１に表示される静止画像や動画像を記憶するものであり、所定の圧縮形式で符号化された静止画像データや複数の画像フレームからなる動画像データを記録する。
【００３１】
操作入力部７は、例えば、数値、文字等を入力するためのデータ入力キーや、データの選択、送り操作等を行うための上下左右移動キーや各種機能キー等によって構成される操作部を備え、これらの操作部の操作に応じて所定の操作信号を中央制御部８に出力する。
【００３２】
中央制御部８は、画像表示装置１００の各部を制御するものである。具体的には、中央制御部８は、図示は省略するが、ＣＰＵ（Central Processing Unit）、ＲＡＭ（Random Access Memory）、ＲＯＭ（Read Only Memory）を備え、画像表示装置１００用の各種処理プログラム（図示略）に従って各種の制御動作を行う。
【００３３】
次に、画像表示装置１００により画像を表示する際に、当該画像を絵画調の画像Ｐ２に加工する画像絵画調処理について、図３並びに図４（ａ）及び図４（ｂ）を参照して説明する。
図３は、画像絵画調処理に係る動作の一例を示すフローチャートである。
【００３４】
画像絵画調処理は、ユーザによる操作入力部７の所定操作に基づいて、表示部１に表示されたメニュー画面内の複数のモードの中から「絵画調表示モード」が選択指示された場合に実行される処理である。
なお、以下の説明にあっては、表示対象の画像として背景内に主要被写体である人を含む画像Ｐ１（図４（ａ）参照）を用いるものとする。
【００３５】
図３に示すように、先ず、ユーザによる操作入力部７の所定操作に基づいて、画像記録部６に記録されている複数の画像の中で表示対象となる所望の画像Ｐ１（図４（ａ）参照）が選択して指定されると（ステップＳ１）、画像取得部３ａは、指定された画像を処理対象画像Ｐ１として当該画像のＹＵＶ画像データを画像記録部６から取得する（ステップＳ２）。
【００３６】
次に、特徴情報特定部３ｂは、処理対象画像Ｐ１のＹＵＶ画像データに基づいて、当該画像から所定の顔検出方法を用いて顔を検出した後、検出された顔画像の特徴量を抽出して、当該特徴量から公知の推定理論を適用して主要被写体である人の年齢、性別、人種などの特徴情報を特定する（ステップＳ３）。
続けて、処理内容設定部３ｃの第１決定部ｃ１は、特徴情報特定部３ｂにより特定された主要被写体の特徴情報（例えば、人の年齢など）に基づいて、第１処理内容設定用テーブルＴ１（図２（ａ）参照）を参照して、主要被写体の種別（例えば、「幼児」など）に応じて主要被写体部分Ｓに対する絵画調処理の内容（例えば、「色鉛筆風」など）を決定する（ステップＳ４）。
【００３７】
次に、環境情報特定部４は、例えば、画像の再生位置、再生位置の天候及び画像の鑑賞者に係る情報などを画像の再生環境に係る情報として特定する（ステップＳ５）。
続けて、処理内容設定部３ｃの第２決定部ｃ２は、環境情報特定部４により特定された画像の再生環境に係る情報（例えば、鑑賞者に係る情報）を基準として、第２処理内容設定用テーブルＴ２（図２（ｂ）参照）を参照して、再生環境の状態（例えば、鑑賞者が「日本人」など）に応じて背景部分Ｂに対する絵画調処理の内容（例えば、「水彩画風」など）を決定する（ステップＳ６）。
【００３８】
なお、処理内容設定部３ｃの第１決定部ｃ１による主要被写体部分Ｓに対する絵画調処理の内容の決定処理の後、第２決定部ｃ２による背景部分Ｂに対する絵画調処理の内容の決定処理を行うようにしたが、処理の順序はこれに限られるものではなく、これらの処理の順序は逆であっても良い。
また、特徴情報特定部３ｂによって主要被写体の特徴情報を特定した後、第１決定部ｃ１によって主要被写体部分Ｓに対する絵画調処理の内容を決定し、そして、環境情報特定部４によって画像の再生環境に係る情報を特定した後、第２決定部ｃ２によって背景部分Ｂに対する絵画調処理の内容を決定するようにしたが、処理の順序はこれに限られるものではなく、主要被写体の特徴情報及び画像の再生環境に係る情報をそれぞれ特定した後、主要被写体部分Ｓや背景部分Ｂに対する絵画調処理の内容を決定するようにしても良い。
【００３９】
そして、絵画調処理部３ｄは、第１決定部ｃ１により決定された処理対象画像Ｐ１の主要被写体部分Ｓに対する絵画調処理の内容（例えば、「色鉛筆風」など）に従って当該主要被写体部分Ｓに絵画調処理を施すとともに、第２決定部ｃ２により決定された処理対象画像Ｐ１の背景部分Ｂに対する絵画調処理（例えば、「水彩画風」など）の内容に従って当該背景部分Ｂに絵画調処理を施す（ステップＳ７）。
【００４０】
その後、表示制御部１ｂは、処理対象画像Ｐ１の主要被写体部分Ｓ及び背景部分Ｂの各々に対して異なる基準で設定された内容の絵画調処理が施された絵画調画像Ｐ２（図４（ｂ）参照）を表示部１に表示させて（ステップＳ８）、当該画像絵画調処理を終了する。
【００４１】
以上のように、本実施形態の画像表示装置１００によれば、画像取得部３ａが、背景内に主要被写体を含む画像を処理対象画像Ｐ１として取得して、処理内容設定部３ｃが、取得された処理対象画像Ｐ１の主要被写体部分Ｓ及び背景部分Ｂに対する絵画調処理の内容を互いに異なる基準で設定するので、設定された絵画調処理の内容に従って処理対象画像Ｐ１の主要被写体部分Ｓと背景部分Ｂの各々にそれぞれ絵画調処理を施すことができる。
具体的には、特徴情報特定部３ｂが、主要被写体の特徴情報として、人の年齢、性別及び人種のうち、少なくとも何れか一を特定し、第１決定部ｃ１が、特定された人の年齢、性別及び人種のうち、少なくとも何れか一を基準として、当該主要被写体部分Ｓに対する絵画調処理の内容を決定することで、複数種類の絵画調処理の中で、処理対象画像Ｐ１の主要被写体を連想させるような何らかの関連性のある絵画調処理を当該主要被写体部分Ｓに対して施すことができる。
さらに、環境情報特定部４が、処理対象画像Ｐ１の再生環境として、当該画像の再生位置、当該再生位置の天候及び再生画像の鑑賞者のうち、少なくとも何れか一を特定し、第２決定部ｃ２が、特定された画像の再生位置、当該再生位置の天候及び再生画像の鑑賞者のうち、少なくとも何れか一を基準として、当該画像の背景部分Ｂに対する絵画調処理の内容を決定することで、複数種類の絵画調処理の中で、処理対象画像Ｐ１の再生環境を連想させるような何らかの関連性のある絵画調処理を当該処理対象画像Ｐ１の背景部分Ｂに対して施すことができる。
【００４２】
従って、処理対象画像Ｐ１の主要被写体部分Ｓ及び背景部分Ｂに対して施される絵画調処理の組み合わせを多彩なものとすることができ、さらに、当該主要被写体部分Ｓ及び背景部分Ｂの各々について、それぞれ関連性のある絵画調処理を施すことができるので、絵画調処理後の画像Ｐ２を鑑賞者に対してより印象的なものとすることができ、当該画像Ｐ２の興趣性の向上を図ることができる。
【００４３】
なお、本発明は、上記実施形態に限定されることなく、本発明の趣旨を逸脱しない範囲において、種々の改良並びに設計の変更を行っても良い。
以下に、画像表示装置１００の変形例について説明する。なお、以下の変形例にあっては、上記実施形態と異なる構成のみを説明し、それ以外の構成については、上記実施形態と略同様となっている。
【００４４】
＜変形例１＞
変形例１の画像表示装置１００は、処理対象画像Ｐ１の主要被写体の特徴情報を基準として、当該画像の背景部分Ｂに対する絵画調処理の内容を決定するとともに、処理対象画像Ｐ１の再生環境を基準として、当該画像の主要被写体部分Ｓに対する絵画調処理の内容を決定するようにしても良い。
即ち、第１決定部ｃ１は、環境情報特定部４により特定された画像の再生位置、当該再生位置の天候及び再生画像の鑑賞者のうち、少なくとも何れか一を基準として、処理対象画像Ｐ１の主要被写体部分Ｓに対する絵画調処理の内容を決定する。
第２決定部ｃ２は、特徴情報特定部３ｂにより特定された主要被写体としての人の年齢、性別及び人種のうち、少なくとも何れか一を基準として、処理対象画像Ｐ１の背景部分Ｂに対する絵画調処理の内容を決定する。
【００４５】
従って、変形例１の画像表示装置１００によれば、処理対象画像Ｐ１の主要被写体と関連性のある絵画調処理を当該処理対象画像Ｐ１の背景部分Ｂに施すことができるとともに、処理対象画像Ｐ１の再生環境と関連性のある絵画調処理を当該処理対象画像Ｐ１の主要被写体部分Ｓに施すことができるので、絵画調処理後の画像Ｐ２をより斬新な態様として鑑賞者に対してより印象的なものとすることができ、当該画像の興趣性の向上を図ることができる。
【００４６】
なお、変形例１にあっては、処理対象画像Ｐ１の主要被写体部分Ｓに対する絵画調処理の内容を当該画像の撮像環境（後述；変形例２参照）を基準として決定するようにしても良い。この場合であっても、同様に、絵画調処理後の画像Ｐ２をより斬新な態様として鑑賞者に対してより印象的なものとすることができ、当該画像の興趣性の向上を図ることができる。
【００４７】
＜変形例２＞
変形例２の画像表示装置１００は、撮像部２によりライブビュー画像或いは記録画像として撮像された画像を処理対象画像Ｐ１として取得し、当該ライブビュー画像や記録画像の撮像環境を特定して、当該撮像環境を基準として、処理対象画像Ｐ１の背景部分Ｂに対する画像処理の内容を決定する。
【００４８】
即ち、撮像部２の電子撮像部２ｂは、ライブビュー画像の撮像の際に、走査駆動して所定周期毎に光学像を二次元の画像信号（ＲＧＢ画像データ）に変換し、当該電子撮像部２ｂの撮像領域から１画面分ずつ画像フレームを読み出し、画像データ生成部２ｃに出力する。また、撮像部２の画像データ生成部２ｃは、電子撮像部２ｂから画像フレームが入力される毎に、ＹＵＶ色空間やＨＳＶ色空間に対応する画像データに変換して中央制御部８に出力する。
表示部１の表示制御部１ｂは、ライブビュー画像の表示の際に、メモリ５に一時記憶されている複数の画像フレームに係るＹＵＶ画像データを定期的に読み出して、これらのデータを元にビデオ信号を発生して表示パネル１ａに出力する。これにより、表示パネル１ａは、複数の画像フレームを所定のフレームレートで逐次更新しながらライブビュー画像を表示する。
【００４９】
また、撮像部２は、ユーザによる操作入力部７の所定操作に基づいて記録指示が入力されると、画像データ生成部２ｃにより記録用の画像データ（ＹＵＶ画像データ）を生成して中央制御部８に出力する。
【００５０】
環境情報特定部４は、画像取得部３ａにより取得される処理対象画像Ｐ１の撮像環境に係る情報を特定する。
即ち、環境情報特定部４は、撮像環境に係る情報として、例えば、画像の撮像位置や当該撮像位置の天候などの当該画像表示装置１００の外部環境に係る情報を特定する。なお、環境情報特定部４による画像の撮像位置や当該撮像位置の天候などの特定方法は、上記実施形態における画像の再生位置や当該再生位置の天候などの特定方法と略同様であり、その詳細な説明は省略する。
なお、画像の撮像位置とは、撮像部２により画像を撮像する際の当該撮像装置１００の位置（場所）のことである。
ここで、環境情報特定部４は、画像の撮像環境として、画像の撮像位置及び当該撮像位置の天候のうち、少なくとも一方を特定する撮像環境特定手段を構成している。
【００５１】
処理内容設定部３ｃの第２決定部ｃ２は、処理対象画像Ｐ１の撮像環境を基準として、当該画像の背景部分Ｂに対する絵画調処理の内容を決定する。
即ち、第２決定部ｃ２は、環境情報特定部４により特定された画像の撮像位置及び当該撮像位置の天候のうち、少なくとも一方を基準として、処理対象画像Ｐ１の背景部分Ｂに対する絵画調処理の内容を決定する。具体的には、第２決定部ｃ２は、環境情報特定部４により特定された画像の撮像位置や当該撮像位置の天候などに基づいて、第２処理内容設定用テーブルを参照して、撮像環境の状態（例えば、天候が「雨」など）に応じて背景部分Ｂに対する絵画調処理の内容（例えば、「水彩画風」など）を決定する。
【００５２】
なお、変形例２に係る第２処理内容設定用テーブルは、図示は省略するが、撮像環境の状態と絵画調処理の内容とを対応付けて記憶するものである。また、変形例２に係る第２処理内容設定用テーブルは、上記実施形態における第２処理内容設定用テーブルＴ２の「再生環境の状態」の欄を「撮像環境の状態」に変更した以外の点で略同様の構成をなし、その詳細な説明は省略する。
さらに、環境情報特定部４により画像の撮像環境に係る情報が複数特定された場合（例えば、画像の撮像位置や当該撮像位置の天候など）にあっては、第２決定部ｃ２は、これらの撮像環境に係る情報の中でデフォルト設定済みの所定順序に従って優先的に利用しても良いし、ユーザにより指定された順序で利用するようにしても良い。
【００５３】
次に、変形例２の画像表示装置１００による画像絵画調処理について、図５を参照して説明する。
図５は、画像絵画調処理に係る動作の一例を示すフローチャートである。なお、変形例２における画像絵画調処理は、以下に説明する以外の点で上記実施形態の画像絵画調処理（図３参照）と略同様であり、その詳細な説明は省略する。
【００５４】
図５に示すように、先ず、ユーザによる操作入力部７の所定操作に基づいて、ライブビュー画像或いは記録用画像の撮像指示が入力されると、撮像部２の電子撮像部２ｂは、被写体の光学像を所定の撮像条件で撮像して、画像データ生成部２ｃは、電子撮像部２ｂから転送された被写体画像のＹＵＶ画像データを生成する（ステップＳ２１）。なお、被写体画像のＹＵＶ画像データは、メモリ５に転送されて一時記憶される。
続けて、画像取得部３ａは、撮像された被写体の画像を処理対象画像Ｐ１として当該画像のＹＵＶ画像データをメモリ５から取得する（ステップＳ２２）。
【００５５】
次に、特徴情報特定部３ｂは、上記実施形態の画像絵画調処理と同様に、処理対象画像Ｐ１のＹＵＶ画像データに基づいて、当該画像から所定の顔検出方法を用いて顔を検出した後、検出された顔画像の特徴量を抽出して、当該特徴量から公知の推定理論を適用して主要被写体である人の年齢、性別、人種などの特徴情報を特定する（ステップＳ３）。
続けて、処理内容設定部３ｃの第１決定部ｃ１は、上記実施形態の画像絵画調処理と同様に、特徴情報特定部３ｂにより特定された主要被写体の特徴情報（例えば、人の年齢など）に基づいて、第１処理内容設定用テーブルＴ１（図２（ａ）参照）を参照して、主要被写体の種別（例えば、「幼児」など）に応じて主要被写体部分Ｓに対する絵画調処理の内容（例えば、「色鉛筆風」など）を決定する（ステップＳ４）。
【００５６】
次に、環境情報特定部４は、例えば、画像の撮像位置及び撮像位置の天候に係る情報などを画像の撮像環境に係る情報として特定する（ステップＳ２５）。
続けて、処理内容設定部３ｃの第２決定部ｃ２は、環境情報特定部４により特定された画像の撮像環境に係る情報を基準として、第２処理内容設定用テーブルを参照して、撮像環境の状態に応じて背景部分Ｂに対する絵画調処理の内容を決定する（ステップＳ２６）。
【００５７】
なお、特徴情報特定部３ｂによって主要被写体の特徴情報を特定した後、第１決定部ｃ１によって主要被写体部分Ｓに対する絵画調処理の内容を決定し、そして、環境情報特定部４によって画像の撮像環境に係る情報を特定した後、第２決定部ｃ２によって背景部分Ｂに対する絵画調処理の内容を決定するようにしたが、処理の順序はこれに限られるものではなく、主要被写体の特徴情報及び画像の撮像環境に係る情報をそれぞれ特定した後、主要被写体部分Ｓや背景部分Ｂに対する絵画調処理の内容を決定するようにしても良い。
【００５８】
そして、絵画調処理部３ｄは、上記実施形態の画像絵画調処理と同様に、第１決定部ｃ１により決定された処理対象画像Ｐ１の主要被写体部分Ｓに対する絵画調処理の内容に従って当該主要被写体部分Ｓに絵画調処理を施すとともに、第２決定部ｃ２により決定された処理対象画像Ｐ１の背景部分Ｂに対する絵画調処理の内容に従って当該背景部分Ｂに絵画調処理を施す（ステップＳ７）。
【００５９】
その後、表示制御部１ｂは、上記実施形態の画像絵画調処理と同様に、処理対象画像Ｐ１の主要被写体部分Ｓ及び背景部分Ｂの各々に対して異なる基準で設定された内容の絵画調処理が施された絵画調画像Ｐ２を表示部１に表示させて（ステップＳ８）、当該画像絵画調処理を終了する。
【００６０】
従って、変形例２の画像表示装置１００によれば、環境情報特定部４が、処理対象画像Ｐ１の撮像環境として、当該画像の撮像位置及び当該撮像位置の天候のうち、少なくとも一方を特定し、第２決定部ｃ２が、特定された画像の撮像位置及び当該撮像位置の天候のうち、少なくとも一方を基準として、当該画像の背景部分Ｂに対する絵画調処理の内容を決定することで、複数種類の絵画調処理の中で、処理対象画像Ｐ１の撮像環境を連想させるような何らかの関連性のある絵画調処理を当該処理対象画像Ｐ１の背景部分Ｂに対して施すことができる。
これにより、上記実施形態と同様に、処理対象画像Ｐ１の主要被写体部分Ｓ及び背景部分Ｂの各々について、それぞれ関連性のある絵画調処理を施すことができるので、絵画調処理後の画像Ｐ２を鑑賞者に対してより印象的なものとすることができ、当該画像の興趣性の向上を図ることができる。
【００６１】
なお、変形例２の画像表示装置１００にあっては、処理対象画像の撮像環境に加えて、上記実施形態のように画像の再生環境も基準として当該画像の背景部分に対する画像処理の内容を決定しても良い。
【００６２】
＜変形例３＞
変形例３の画像表示装置１００は、処理対象画像Ｐ１の主要被写体部分Ｓ及び背景部分Ｂのうち、少なくとも一方に対する絵画調処理の内容をユーザ操作に基づいて指定可能となっている。
【００６３】
即ち、表示制御部１ｂは、主要被写体部分（人）Ｓ及び背景部分Ｂの各々に対する複数の絵画調処理の内容指定画面Ｇを表示パネル１ａに表示する。ここで、表示制御部１ｂは、例えば、ＯＳＤ表示などによって、絵画調処理の内容指定画面Ｇを処理対象画像Ｐ１に重ねて表示パネル１ａに表示させるようになっている（図６参照）。
【００６４】
操作入力部７は、ユーザによる所定操作に基づいて、絵画調処理の内容指定画面Ｇの中から選択指定された主要被写体部分Ｓ及び背景部分Ｂの各々に対する絵画調処理（例えば、主要被写体部分Ｓに対しては「色鉛筆風」、背景部分Ｂに対しては「水彩画風」など）の内容の設定指示を中央制御部８に出力する。
処理内容設定部３ｃは、中央制御部８の制御下にて、操作入力部７から出力され入力された設定指示に基づいて、絵画調処理部３ｄによる処理対象画像Ｐ１の主要被写体部分Ｓ及び背景部分Ｂの各々に対する絵画調処理（画像処理）の内容を優先的に設定する。具体的には、第１決定部ｃ１は、主要被写体部分Ｓの絵画調処理の内容の設定指示に基づいて、当該主要被写体部分Ｓに対する絵画調処理の内容を決定するとともに、第２決定部ｃ２は、背景部分Ｂの絵画調処理の内容の設定指示に基づいて、当該背景部分Ｂに対する絵画調処理の内容を決定する。
なお、ユーザ操作に基づいて、処理対象画像Ｐ１の主要被写体部分Ｓ及び背景部分Ｂの各々に対する絵画調処理の内容を指定するようにしたが、主要被写体部分Ｓ及び背景部分Ｂのうち、何れか一方に対する絵画調処理の内容を指定するような構成であっても良い。
【００６５】
ここで、操作入力部７及び中央制御部８は、処理対象画像Ｐ１の主要被写体部分Ｓ及び背景部分Ｂのうち、少なくとも一方に対する画像処理の内容をユーザ操作に基づいて指定する指定手段を構成している。
【００６６】
従って、変形例３の画像表示装置１００によれば、処理対象画像Ｐ１の主要被写体部分Ｓ及び背景部分Ｂのうち、少なくとも一方に対する絵画調処理の内容をユーザ所望の内容に設定することができ、当該画像の主要被写体部分Ｓ及び背景部分Ｂのうち、少なくとも一方にユーザの嗜好を反映させることができる。
【００６７】
なお、上記変形例３にあっては、処理対象画像Ｐ１の主要被写体部分Ｓ及び背景部分Ｂのうち、少なくとも一方に対する絵画調処理の内容がユーザ操作に基づいて指定された場合に、処理内容設定部３ｃは、指定結果に対応する絵画調処理の内容を優先的に設定するようにしたが、これに限られるものではなく、ユーザ指定の絵画調処理を優先的に設定するか否かは適宜任意に変更可能である。
【００６８】
また、上記実施形態並びに変形例１〜３にあっては、処理対象画像Ｐ１の主要被写体部分Ｓ及び背景部分Ｂの両方に対して絵画調処理を施すようにしたが、これに限られるものではなく、主要被写体部分Ｓ及び背景部分Ｂのうち、何れか一方に対して絵画調処理を施すようにしても良い。例えば、処理対象画像Ｐ１の主要被写体部分Ｓ及び背景部分Ｂの両方に対して絵画調処理が施された画像と、主要被写体部分Ｓ及び背景部分Ｂのうち、何れか一方に対して絵画調処理が施された画像とをそれぞれ生成して、当該画像表示装置１００にて表示させる何れか一の画像をユーザに選択させるような構成としても良い。また、これら二つの画像を離間させたり、一部分を半透過の態様で重ね合わせることで一画面内に表示させても良い。
【００６９】
さらに、画像表示装置１００の構成は、上記実施形態に例示したものは一例であり、これに限られるものではない。また、画像処理装置として、所定位置に設置される画像表示装置１００を例示したが、これに限られるものではなく、例えば、撮像装置などの本発明に係る所定の画像処理（例えば、絵画調処理等）を実行可能なものであれば如何なる構成であっても良い。また、画像処理装置の外部に情報通信可能に表示部を設け、当該表示部に画像を表示させるような構成であっても良い。
【００７０】
加えて、上記実施形態にあっては、取得手段、処理手段、設定手段としての機能を、中央制御部８の制御下にて、画像処理部３の画像取得部３ａ、絵画調処理部３ｄ、処理内容設定部３ｃが駆動することにより実現される構成としたが、これに限られるものではなく、中央制御部８のＣＰＵによって所定のプログラム等が実行されることにより実現される構成としても良い。
即ち、プログラムを記憶するプログラムメモリ（図示略）に、取得処理ルーチン、画像処理ルーチン、設定処理ルーチンを含むプログラムを記憶しておく。そして、取得処理ルーチンにより中央制御部８のＣＰＵを、背景内に主要被写体を含む画像を取得する取得手段として機能させるようにしても良い。また、画像処理ルーチンにより中央制御部８のＣＰＵを、取得手段により取得された画像の主要被写体部分Ｓ及び背景部分Ｂに対して所定の画像処理を施す処理手段として機能させるようにしても良い。また、設定処理ルーチンにより中央制御部８のＣＰＵを、処理手段による前記主要被写体部分Ｓ及び前記背景部分Ｂに対する画像処理の内容を互いに異なる基準で設定する設定手段として機能させるようにしても良い。
【００７１】
同様に、第１決定手段、特徴情報特定手段、第２決定手段、再生環境特定手段、撮像環境特定手段、指定手段についても、中央制御部８のＣＰＵによって所定のプログラム等が実行されることにより実現される構成としても良い。
【００７２】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型画像記録部を適用することも可能である。また、プログラムのデータを所定の通信回線を介して提供する媒体としては、キャリアウェーブ（搬送波）も適用される。
【符号の説明】
【００７３】
１００  撮像装置
１      表示部
２      撮像部
３      画像処理部
３ａ    画像取得部
３ｂ    特徴情報特定部
３ｃ    処理内容設定部
ｃ１    第１決定部
ｃ２    第２決定部
３ｄ    絵画調処理部
４      環境情報特定部
７      操作入力部
８      中央制御部
【図１】
2011166404.tif 000003
【図２】
2011166404.tif 000004
【図３】
2011166404.tif 000005
【図５】
2011166404.tif 000006
【図４】
2011166404.tif 000007
【図６】
2011166404.tif 000008
【手続補正書】
【提出日】平成22年3月5日(2010.3.5)
【手続補正１】
【補正対象書類名】明細書
【補正対象項目名】０００６
【補正方法】変更
【補正の内容】
【０００６】
上記課題を解決するため、本発明の画像処理装置は、
背景内に主要被写体を含む画像を取得する取得手段と、この取得手段により取得された画像の主要被写体部分及び背景部分に対して所定の画像処理を施す処理手段と、この処理手段による前記主要被写体部分及び前記背景部分に対する画像処理の内容を互いに異なる基準で設定する設定手段と、を備え、前記処理手段は、前記設定手段により設定された互いに異なる基準の画像処理の内容で当該画像の前記主要被写体部分及び前記背景部分に対して所定の画像処理を施すことを特徴としている。 
【手続補正２】
【補正対象書類名】明細書
【補正対象項目名】０００９
【補正方法】変更
【補正の内容】
【０００９】
また、本発明のプログラムは、
画像処理装置のコンピュータを、背景内に主要被写体を含む画像を取得する取得手段、この取得手段により取得された画像の主要被写体部分及び背景部分に対して所定の画像処理を施す処理手段、この処理手段による前記主要被写体部分及び前記背景部分に対する画像処理の内容を互いに異なる基準で設定する設定手段、として機能させ、前記処理手段は、前記設定手段により設定された互いに異なる基準の画像処理の内容で当該画像の前記主要被写体部分及び前記背景部分に対して所定の画像処理を施すことを特徴としている。
【手続補正３】
【補正対象書類名】明細書
【補正対象項目名】００６３
【補正方法】変更
【補正の内容】
【００６３】
即ち、表示制御部１ｂは、主要被写体部分（人）Ｓ及び背景部分Ｂの各々に対する複数の絵画調処理の内容指定画面Ｇを表示パネル１ａに表示する。ここで、表示制御部１ｂは、例えば、ＯＳＤ表示などによって、絵画調処理の内容指定画面Ｇを処理対象画像Ｐ１に重ねて表示パネル１ａに表示させるようになっている（図６（ａ）参照）。 
【手続補正４】
【補正対象書類名】明細書
【補正対象項目名】００６４
【補正方法】変更
【補正の内容】
【００６４】
操作入力部７は、ユーザによる操作入力部７に対する所定操作に基づいて、絵画調処理の内容指定画面Ｇの「背景」および「人」に対する「水彩画風」「色鉛筆風」などの複数の絵画調処理の種類の中から、それぞれ一種類の絵画調処理の内容を選択する。すると、操作入力部７は、この選択指定された主要被写体部分Ｓ及び背景部分Ｂの各々に対する絵画調処理（例えば、主要被写体部分Ｓに対しては「色鉛筆風」、背景部分Ｂに対しては「水彩画風」など；図６（ａ）参照）の内容の設定指示を中央制御部８に出力する。
処理内容設定部３ｃは、中央制御部８の制御下にて、操作入力部７から出力され入力された設定指示に基づいて、絵画調処理部３ｄによる処理対象画像Ｐ１の主要被写体部分Ｓ及び背景部分Ｂの各々に対する絵画調処理（画像処理）の内容を設定する。
具体的には、第１決定部ｃ１は、主要被写体部分Ｓの絵画調処理の内容の設定指示に基づいて、当該主要被写体部分Ｓに対する絵画調処理の内容を決定するとともに、第２決定部ｃ２は、背景部分Ｂの絵画調処理の内容の設定指示に基づいて、当該背景部分Ｂに対する絵画調処理の内容を決定する。その後、上記実施形態と同様に、絵画調処理部３ｄは、第１決定部ｃ１により決定された処理対象画像Ｐ１の主要被写体部分Ｓに対する絵画調処理の内容（例えば、「色鉛筆風」など）に従って当該主要被写体部分Ｓに絵画調処理を施すとともに、第２決定部ｃ２により決定された処理対象画像Ｐ１の背景部分Ｂに対する絵画調処理の内容（例えば、「水彩画風」など）に従って当該背景部分Ｂに絵画調処理を施す（図６（ｂ）参照）。
ここで、図６（ｂ）の絵画調処理後の絵画調画像Ｐ２は、上記実施形態の図４（ｂ）の画像Ｐ２と同じであり、絵画調処理部３ｄにより処理対象画像Ｐ１の主要被写体部分Ｓ及び背景部分Ｂの各々に対して絵画調処理が施された絵画調画像Ｐ２の一例を表している。
このように、図６（ｂ）の場合、ユーザによる操作入力部７に対する所定操作により設定指示された「人」に対する「色鉛筆風」の処理内容に従った絵画調の主要被写体部分Ｓの画像と、同じく、ユーザによる所定操作により設定指示された「背景」に対する「水彩画風」の処理内容に従った絵画調の背景部分Ｂの画像とを合成した一枚の絵画調画像Ｐ２を確実かつ容易に表示させることができる。
なお、ユーザ操作に基づいて、処理対象画像Ｐ１の主要被写体部分Ｓ及び背景部分Ｂの各々に対する絵画調処理の内容を指定するようにしたが、主要被写体部分Ｓ及び背景部分Ｂのうち、何れか一方に対する絵画調処理の内容を指定するような構成であっても良い。 
【手続補正５】
【補正対象書類名】特許請求の範囲
【補正対象項目名】請求項１
【補正方法】変更
【補正の内容】
【請求項１】
背景内に主要被写体を含む画像を取得する取得手段と、
この取得手段により取得された画像の主要被写体部分及び背景部分に対して所定の画像処理を施す処理手段と、
この処理手段による前記主要被写体部分及び前記背景部分に対する画像処理の内容を互いに異なる基準で設定する設定手段と、を備え、
前記処理手段は、
前記設定手段により設定された互いに異なる基準の画像処理の内容で当該画像の前記主要被写体部分及び前記背景部分に対して所定の画像処理を施すことを特徴とする画像処理装置。 
【手続補正６】
【補正対象書類名】特許請求の範囲
【補正対象項目名】請求項１２
【補正方法】変更
【補正の内容】
【請求項１２】
画像処理装置のコンピュータを、
背景内に主要被写体を含む画像を取得する取得手段、
この取得手段により取得された画像の主要被写体部分及び背景部分に対して所定の画像処理を施す処理手段、
この処理手段による前記主要被写体部分及び前記背景部分に対する画像処理の内容を互いに異なる基準で設定する設定手段、
として機能させ、
前記処理手段は、
前記設定手段により設定された互いに異なる基準の画像処理の内容で当該画像の前記主要被写体部分及び前記背景部分に対して所定の画像処理を施すことを特徴とするプログラム。 
【手続補正７】
【補正対象書類名】図面
【補正対象項目名】図６
【補正方法】変更
【補正の内容】
【図６】
2011166404.tif 000009